(57)【特許請求の範囲】
【請求項１】
マルチメディアブロードキャストマルチキャストサービス（MBMS）専用キャリアの設定方法であって、セル内に１つ以上のMBMS専用キャリアが配置されており、
前記セル内の少なくとも１つのMBMS専用キャリアフレームの下りタイムスロットに、専用キャリアバンドリング情報を割り当て、
前記専用キャリアバンドリング情報は、MBMSシステム情報と、前記セル内の専用キャリアのMBMS制御情報とを含み、
前記MBMSシステム情報と前記セル内の専用キャリアのMBMS制御情報は、MBMS専用キャリアフレームの１つの下りタイムスロットに割り当てられ、
前記MBMS専用キャリアフレームにおける、下りパイロットスロット、上りパイロットスロット並びに上り及び下り間のチップのガード期間は、主に制御情報の伝送に使われるショートタイムスロットとして合併されている、
MBMS専用キャリアの設定方法。
【請求項２】
MBMSシステム情報と前記セル内の専用キャリアのMBMS制御情報とが割り当てられる下りタイムスロットは、MBMSブロードキャスト制御チャネルBCCHと、MBMSポイントーツーマルチポイントコントロールチャネルMCCHに用いられ、前記MBMSシステム情報は、BCCHにて伝送されるとともにブロードキャストチャネルBCHを介してプライマリ共通制御物理チャネルPCCPCHにマッピングされ、前記MBMS制御情報は、MCCHにて伝送されるとともにフォワードアクセスチャネルFACHを介してセカンダリ共通制御物理チャネルSCCPCHにマッピングされる、請求項１記載のMBMS専用キャリアの設定方法。
【請求項３】
前記PCCPCHは、前記下りタイムスロットの固定位置に位置し、前記固定位置の情報が各MBMSモバイル端末に設定される、請求項２記載のMBMS専用キャリアの設定方法。
【請求項４】
MBMSシステム情報と前記セル内の専用キャリアのMBMS制御情報とが割り当てられる下りタイムスロットは、MBMSサービス通報情報あるいは番組ガイド情報が割り当てられるとともに、MBMSポイントーツーマルチポイントトラフィックチャネルMTCHを介してセカンダリ共通制御物理チャネルSCCPCHにマッピングされる、請求項２記載のMBMS専用キャリアの設定方法。
【請求項５】
MBMSシステム情報と前記セル内の専用キャリアのMBMS制御情報とが割り当てられる下りタイムスロットは、MBMSポイントーツーマルチポイントスケジュールチャネルMSCH、MBMSインディケータチャネルMICH、MBMSポイントーツーマルチポイントトラフィックチャネルMTCHおよび既存サービス呼び出しチャネルの１つあるいは複数に用いられる、請求項１記載のMBMS専用キャリアの設定方法。
【請求項６】
さらに、前記セル内の既存サービスキャリアには、MBMSシステム情報と前記セル内のすべての専用キャリアのMBMS制御情報とが割り当てられた少なくとも１つのMBMS専用キャリアについての周波数情報およびそのスクランブルコードグループID情報が割り当てられる、請求項１記載のMBMS専用キャリアの設定方法。
【請求項７】
前記MBMSシステム情報は、システム情報ブロックSIBにて伝送される、請求項１乃至６のいずれか１項に記載のMBMS専用キャリアの設定方法。
【請求項８】
前記MBMSシステム情報を伝送するシステム情報ブロックは、少なくともSIB５とマスタ情報ブロックとを含む、請求項７記載のMBMS専用キャリアの設定方法。
【請求項９】
前記MBMS制御情報は、MBMS変更サービス情報、MBMS未変更サービス情報、MBMSジェネラル情報、MBMS共通ポイントーツーマルチポイントラジオベアラ情報、MBMSカレントセルポイントーツーマルチポイントラジオベアラ情報およびMBMS隣接セルポイントーツーマルチポイントラジオベアラ情報を含む、請求項１乃至６のいずれか１項に記載のMBMS専用キャリアの設定方法。
【請求項１０】
セル内に１つ以上のMBMS専用キャリアが配置されており、前記セルにおける少なくとも１つのMBMS専用キャリアに、MBMSシステム情報および前記セル内のすべてのMBMS専用キャリアのMBMS制御情報を割り当てるように構成されたバンドリング情報配置ユニットと、
前記セル内の既存サービスキャリアに、MBMSシステム情報と前記セル内のすべてのMBMS専用キャリアのMBMS制御情報とが割り当てられた少なくとも１つのMBMS専用キャリアの周波数情報およびそのスクランブルコードグループID情報を、割り当てるように構成されたバンドリングキャリア情報配置ユニットと備え、
前記MBMSシステム情報と前記セル内の専用キャリアのMBMS制御情報は、MBMS専用キャリアフレームの１つの下りタイムスロットに割り当てられ、
前記MBMS専用キャリアフレームにおける、下りパイロットスロット、上りパイロットスロット並びに上り及び下り間のチップのガード期間は、主に制御情報の伝送に使われるショートタイムスロットとして合併されている、
MBMS専用キャリアの設定装置。
【請求項１１】
前記MBMSシステム情報と前記セル内の専用キャリアのMBMS制御情報とが割り当てられる下りタイムスロットは、MBMSブロードキャスト制御チャネルBCCHとMBMSポイントーツーマルチポイントコントロールチャネルMCCHとに用いられ、前記MBMSシステム情報は、BCCHにて伝送されるとともにブロードキャストチャネルBCHを介してプライマリ共通制御物理チャネルPCCPCHにマッピングされ、前記MBMS制御情報は、MCCHにて伝送されるとともにフォワードアクセスチャネルFACHを介してセカンダリ共通制御物理チャネルSCCPCHにマッピングされる、請求項１０記載のMBMS専用キャリアの設定装置。
【請求項１２】
前記PCCPCHは、前記下りタイムスロットの固定位置に位置し、前記固定位置の情報が各MBMSモバイル端末に設定される、請求項１１記載のMBMS専用キャリアの設定装置。
【請求項１３】
前記MBMSシステム情報は、システム情報ブロックSIBにて伝送される、請求項１０乃至１２のいずれか１項に記載のMBMS専用キャリアの設定装置。
【請求項１４】
前記MBMS制御情報は、MBMS変更サービス情報、MBMS未変更サービス情報、MBMSジェネラル情報、MBMS共通ポイントーツーマルチポイントラジオベアラ情報、MBMSカレントセルポイントーツーマルチポイントラジオベアラ情報およびMBMS隣接セルポイントーツーマルチポイントラジオベアラ情報を含む、請求項１０乃至１２のいずれか１項に記載のMBMS専用キャリアの設定装置。
【請求項１５】
セル内に１つ以上のMBMS専用キャリアが配置されており、前記セル内の少なくとも１つのMBMS専用キャリアに、MBMSシステム情報および前記セル内のMBMS専用キャリアのMBMS制御情報を割り当て、
前記セル内の既存サービスキャリアに、前記MBMSシステム情報と前記セル内のMBMS専用キャリアのMBMS制御情報とが割り当てられた少なくとも１つのMBMS専用キャリアの周波数情報およびそのスクランブルコードグループID情報を割り当て、
MBMSデータを送信する、
バンドリング情報であって、
前記MBMSシステム情報と前記セル内の専用キャリアのMBMS制御情報は、MBMS専用キャリアフレームの１つの下りタイムスロットに割り当てられ、
前記MBMS専用キャリアフレームにおける、下りパイロットスロット、上りパイロットスロット並びに上り及び下り間のチップのガード期間は、主に制御情報の伝送に使われるショートタイムスロットとして合併されている、
バンドリング情報が設定された専用キャリアに基づくMBMS伝送方法。
【請求項１６】
ユーザ端末は、既存サービスキャリアに同期し、前記MBMSシステム情報と前記MBMS制御情報とが割り当てられたMBMS専用キャリアの周波数情報およびそのスクランブルコードグループID情報を取得し、既存サービスキャリアの時間同期情報、MBMS専用キャリアの周波数情報およびそのスクランブルコードグループID情報に基づいて、１つの専用キャリアに同期し、MBMSシステム情報と、MBMS専用キャリアのMBMS制御情報とをセンスしてMBMSサービスの設定情報を取得し、専用キャリアのMBMSデータを受信する、請求項１５記載のバンドリング情報が設定された専用キャリアに基づくMBMS伝送方法。
【請求項１７】
前記ユーザ端末は、間欠受信DRX方式でキャリアをセンスする、請求項１６記載のバンドリング情報が設定された専用キャリアに基づくMBMS伝送方法。
【発明の詳細な説明】
【技術分野】
【０００１】
本発明は移動通信システムにおけるマルチメディアブロードキャストマルチキャストサービス（MBMS，Multimedia Broadcast Multicast Service）の伝送に関する技術であり、より詳細には、MBMS専用（dedicated）キャリア設定(configuration)方法および装置、ならびに前記の設定方法によりバンドリング情報が設定された専用キャリアのMBMS伝送方法に関する。
【背景技術】
【０００２】
移動通信網のリソースを効率的に利用するために、第３世代の移動通信グローバル基準化組織（3GPP）Release６においては移動通信網のMBMSが提案されることにより、移動通信網において、データを１つのデータソースから複数のユーザに伝送するポイントーツーマルチポイントのサービスが提供される。これにより、ネットワークリソースの共用を実現することができ、ネットワークリソースの使用率を向上し、特にエアインタフェースリソースの共用を実現することができる。
【０００３】
図１はブロードキャストマルチキャストサービスをサポートしたラジオネットワークの構成を示す図であり、図１に示すように、従来の3GPPにおいては、ブロードキャストマルチキャストサービスをサポートしたラジオネットの構成は、ブロードキャストマルチキャストサービスサーバ（BM−SC）101を含み、BM-SC101は、GmbインタフェースあるいはGiインタフェースを介してゲートウェーGPRSサポートノード（GGSN，Gateway GPRS Support Node）102に接続され、１つのBM−SC101が複数のGGSN102に接続可能である。GGSN102は、Gn/Gpインタフェースを介してサービスGPRSサポートノード（SGSN，Serving GPRS Support Node）103に接続され、１つのGGSN102が複数のSGSN103に接続可能である。SGSN103は、Iuインタフェースを介してユニバーサル移動通信システム（UMTS，Universal Mobile Telecommunication System）の地上ラジオアクセスネットワーク（UTRAN）104に接続可能であり、また、UTRAN104は、Uuインタフェースを介してユーザ端末（UE）106に接続され、SGSN103は、Iu/Gbインタフェースを介してグローバル移動通信システム（GSM）のエンハンスドラジオアクセス網（GERAN）105に接続可能であり、また、GERAN105は、Umインタフェースを介してUE107に接続可能である。ここで、GGSN及びSGSNは、ラジオネットワークにおけるコアネットワーク（CN）内のノードである。
【０００４】
図１に示したネットワーク構成から分かるように、MBMSサービスをサポートするために、第３世代の移動通信システムには移動ネットワーク機能エンティティであるブロードキャストマルチキャストサービスセンター、すなわちBM-SCが追加され、前記BM-SCは、コンテンツプロバイダの入り口であり、MBMSの認証及び起動に用いられ、また、予定の時間スケジュールに従ってMBMSコンテンツを伝送する。なお、UE、UTRAN、GERAN、SGSN、GGSNなどの機能エンティティにも、MBMSに関する機能が追加されている。
【０００５】
3GPPが提案したMBMSは、プレーンテキストの低速のメッセージに関するマルチキャスト及びブロードキャストだけではなく、高速のマルチメディアサービスのマルチキャスト及びブロードキャストを実現でき、将来の移動データの発展の潮流に順応することが疑いない。MBMSデータの伝送速度をさらに向上するために、近年、3GPPにおいては、周波数分割複信（FDD，Frequency Division Duplex）および3.84Mcpsの時分割複信（TDD，Time Division Duplex）に対して、専用の独立キャリアを用いてMBMSを搬送する方策が提案されている。つまり、現状のユニバーサル移動通信システムのカバーエリア内にMBMSを専門的に伝送する周波数レイヤを個別に設立し、ユーザ端末に、既存キャリアと専用キャリアMBMS伝送とを受信する能力をもたせる。
【０００６】
3GPP Release7においては、MBMS専用キャリアシステムをサポートするように、IPWireless社は、3.84Mcps TDDに対して、新たなフレーム構成（burst type）を提案した。IPWireless社が提案したフレーム構成は、3GPP Release6における、MBMSのハイレイヤ制御情報の伝送原理を変更しない。実用可能な具体的なフレーム構成は提案されておらず、その構成情報の研究は未だ理論の段階である。
【０００７】
3GPP Release７ TR 25.905においては、広帯域符号分割多重（WCDMA）及び高チップレート（HCR）TDDシステムに適したMBMS専用キャリアメカニズムが詳細に紹介され、この専用キャリアは、WCDMAの下りキャリア、あるいはHCR TDDキャリア（すべて下り）となり得る。キャリアが専用キャリアである否かを識別するために、システム情報におけるシステム情報ブロックSIB3を利用し、専用キャリアか否かを示すMBSFNマークを伝送することが提案されている。キャリアが単一周波数ネットワーク（SFN）モードのMBMSデータサービスに専用であれば、システム情報ブロックSIB5にて、特定のMBMSポイントーツーマルチポイントコントロールチャネル（MCCH，MBMS point-to-multipoint Control Channel）に対する配置、およびMBMSポイントーツーマルチポイントトラフィックチャネル（MTCH，MBMS point-to-multipoint Traffic Channel）のスクランブル配置などの情報が伝送される。SIB3及びSIB5にて伝送される情報は、実質的に、MBMSデータサービス伝送に対してのリソース配置状態を含んでいる。上記方策では、SIB11により専用キャリア周波数リスト、および、周波数間及び周波数内測定セル情報リストを伝送することが要求される。SIB3、SIB5及びSIB11を除いて、他の既存セルで現在伝送されるSIB情報ブロックはMBMS専用キャリアでは伝送されない。
【０００８】
専用キャリアのMCCHシグナリングを簡略化するために、専用キャリアは、上り伝送に直接的には用いられず、また、MBMSアクセス情報は、システム情報において伝送されない。専用キャリアにて伝送されるMBMS信号に対して、UEは、データ信号を受信する際に、隣接するセルのMBSFNマルチパス信号を既存のマルチパス信号として物理レイヤに関する処理を行うので、MCCHにてマルチパス合成を目的とするラジオベアラ（RB）情報、即ち“MBMS NEIGHBOURING CELL P-T-M RB INFORMATION”を伝送する必要がない。
【０００９】
現在、3GPPは、TDDシステムにおいて、MBMS専用キャリでMBMSを伝送する方法について提案していない。
【発明の概要】
【発明が解決しようとする課題】
【００１０】
以上に鑑み、本発明は、主に、MBMS専用キャリア設定方法および装置を提供することを目的とし、MBMS専用キャリアの設定により、セル内に配置されるすべてのMBMS専用キャリアが束ねられる（bundled）ことで、UEはセル内においてMBMS専用キャリアで実施されるすべてのMBMSサービスの検知が便利になる。
【００１１】
本発明の他の目的は、バンドリング情報の割り当てられた専用キャリアに基づくMBMS伝送方法を提供することであり、前記のバンドリング情報が割り当てられた専用キャリアを利用してMBMSサービスの伝送を行うことにより、UEのセンス切り替えの頻度を低減し、UEが複雑化することを抑える。
【課題を解決するための手段】
【００１２】
上記の目的を実現するために、本発明の技術方策は下記のように実現される。
【００１３】
マルチメディアブロードキャストマルチキャストサービスのMBMS専用キャリアの設定方法であって、下記を含む。
【００１４】
専用キャリアバンドリング情報を、セル内における少なくとも１つのMBMS専用キャリアフレームの下りタイムスロットに割り当てる。
【００１５】
ここで、前記専用キャリアバンドリング情報は、MBMSシステム情報と、すべての専用キャリアのMBMS制御情報とを含む。
【００１６】
ここで、前記MBMSシステム情報、および、すべての専用キャリアのMBMS制御情報は、MBMS専用キャリアフレームの１つの下りタイムスロットに割り当てられる。
【００１７】
ここで、MBMSシステム情報とすべての専用キャリアのMBMS制御情報とが配置された下りタイムスロットは、MBMSブロードキャスト制御チャネルBCCHとMBMSポイントーツーマルチポイントコントロールチャネルMCCHとに用いられ、前記MBMSシステム情報は、BCCHにて伝送され、ブロードキャストチャネルBCHを介してプライマリ共通制御物理チャネルPCCPCHにマッピングされる。前記MBMS制御情報は、MCCHにて伝送され、フォワードアクセスチャネルFACHを介してセカンダリ共通制御物理チャネルSCCPCHにマッピングされる。
【００１８】
ここで、前記PCCPCHは、前記下りタイムスロットの固定位置に位置し、その固定位置情報が各MBMSモバイル端末に設定される。
【００１９】
ここで、MBMSシステム情報とすべての専用キャリアのMBMS制御情報とが割り当てらた下りタイムスロットには、MBMSサービス通報（notice）情報あるいは番組ガイド情報が割り当てられており、MBMSポイントーツーマルチポイントトラフィックチャネルMTCHを介してセカンダリ共通制御物理チャネルSCCPCHにマッピングされる。
【００２０】
ここで、MBMSシステム情報とすべての専用キャリアのMBMS制御情報とが配置された下りタイムスロットは、MBMSポイントーツーマルチポイントスケジューリングチャネルMSCH、MBMS通知インディケータチャネルMICH、MBMSポイントーツーマルチポイントトラフィックチャネルMTCHおよび既存のサービス呼び出し（ページング）チャネルの１つあるいは複数に使用される。
【００２１】
前記方法は、下記をさらに含む。
【００２２】
セル内の既存サービスキャリアには、MBMS専用キャリアの周波数情報およびそのスクランブルコードグループID情報が割り当てられ、少なくとも１つのMBMS専用キャリアに、MBMSシステム情報と、すべての専用キャリアのMBMS制御情報とが割り当てられる。
【００２３】
ここで、前記MBMSシステム情報は、システム情報ブロックSIBにて伝送される。MBMSシステム情報を伝送するシステム情報ブロックは、少なくともSIB5及びマスタ情報ブロックを含む。
【００２４】
ここで、前記MBMS制御情報は、MBMS変更（modified）サービス情報、MBMS未変更サービス情報、MBMSジェネラル情報、MBMS共通ポイントーツーマルチポイントラジオベアラ情報、MBMSカレントセルポイントーツーマルチポイントラジオベアラ情報およびMBMS隣接セルポイントーツーマルチポイントラジオベアラ情報を含む。
MBMS専用キャリアの設定装置は、下記を含む。
【００２５】
セル内の少なくとも１つのMBMS専用キャリアに、MBMSシステム情報およびすべてのMBMS専用キャリアのMBMS制御情報を割り当てるバンドリング情報配置ユニットと、
セル内の既存サービスキャリアに、MBMSシステム情報と、すべての専用キャリアのMBMS制御情報とが割り当てられた少なくとも１つのMBMS専用キャリアについての周波数情報およびそのスクランブルコードグループID情報を割り当てるバンドリングキャリア情報配置ユニット。
【００２６】
ここで、前記MBMSシステム情報と、すべての専用キャリアのMBMS制御情報とは、MBMS専用キャリアフレームの１つの下りタイムスロットに割り当てられる。
【００２７】
ここで、MBMSシステム情報とすべての専用キャリアのMBMS制御情報とが割り当てられた下りタイムスロットには、MBMSブロードキャスト制御チャネルBCCHとMBMSポイントーツーマルチポイントコントロールチャネルMCCHに用いられ、前記MBMSシステム情報は、BCCHにて伝送され、ブロードキャストチャネルBCHを介してプライマリ共通制御物理チャネルPCCPCHにマッピングされる。前記MBMS制御情報は、MCCHにて伝送され、フォワードアクセスチャネルFACHを介してセカンダリ共通制御物理チャネルSCCPCHにマッピングされる。
【００２８】
ここで、前記PCCPCHは、前記下りタイムスロットの固定位置に位置し、その固定位置情報は、各MBMSモバイル端末に設定されている。
【００２９】
ここで、前記MBMSシステム情報は、システム情報ブロックSIBにて伝送される。
【００３０】
ここで、前記MBMS制御情報は、MBMS変更サービス情報、MBMS未変更サービス情報、MBMSジェネラル情報、MBMS共通ポイントーツーマルチポイントラジオベアラ情報、MBMSカレントセルポイントーツーマルチポイントラジオベアラ情報およびMBMS隣接セルポイントーツーマルチポイントラジオベアラ情報を含む。
【００３１】
また、バンドリング情報が割り当てられた専用キャリアに基づくMBMS伝送方法は、下記を含む。
【００３２】
少なくとも１つのMBMS専用キャリアに、MBMSシステム情報およびすべてのMBMS専用キャリアのMBMS制御情報を割り当て、
セル内の既存サービスキャリアに、MBMSシステム情報と、すべての専用キャリアのMBMS制御情報とが割り当てられた少なくとも１つのMBMS専用キャリアについての周波数情報およびそのスクランブルコードグループID情報を割り当て、
MBMSデータを送信する。
【００３３】
前記方法は、さらに下記を含む。
【００３４】
ユーザ端末は、既存サービスキャリアに同期し、MBMSシステム情報と制御情報とが配置されたMBMS専用キャリアの周波数情報およびそのスクランブルコードグループID情報を取得し、既存サービスキャリアの時間同期情報、MBMS専用キャリアの周波数情報およびそのスクランブルコードグループID情報に基づいて、１つの専用キャリアに同期し、MBMSシステム情報と、すべてのMBMS専用キャリアのMBMS制御情報をセンスしてMBMSサービスの配置情報を取得し、専用キャリア上のMBMSデータを受信する。
【００３５】
ここで、前記ユーザ端末は、キャリアをセンスする際に、間欠受信DRX方式を採用する。
【発明の効果】
【００３６】
本発明によるMBMS専用キャリア設定方法および装置は、MBMS専用キャリアの配置により、該当するセル内のすべてのMBMS専用キャリアのサービス情報を各セルにおける少なくとも１つのMBMS専用キャリアに伝送し、つまりセル内のMBMS専用キャリアをバンドリングし、このようにして、ユーザ端末は、バンドリング情報が割り当てられたMBMS専用キャリアをセンスしさえすれば、セル内のすべてのMBMS専用キャリアで伝送されるMBMSサービスを受信することができる。必要に応じて、バンドリング情報は、セル内の１つのMBMS専用キャリアに割り当ててもよく、複数、さらにまたはすべてのMBMS専用キャリアに割り当ててもよい。セル内のすべてのMBMS専用キャリアにバンドリング情報が割り当てられた場合、ユーザ端末は、１つのMBMS専用キャリアを任意に選択してセンスすることができる。前記バンドリング情報をMBMS専用キャリアフレームの下りタイムスロットの１つだけに割り当てれば、その他の下りタイムスロットは、すべてMBMSサービスを伝送するのに用いることが可能であり、これによりMBMSサービスの伝送速度を大幅に向上することができる。もちろん、バンドリング情報の割り当てられたタイムスロットにアイドルリソースがあれば、そのリソースをMBMSサービスの伝送に使用することができる。
【００３７】
本発明は、既存サービスキャリアと専用キャリアとが混在する方式を採用してMBMSサービスを無線カバーエリア内の端末ユーザに提供する。ここで、MBMS専用キャリアのキャリア情報およびスクランブルコードグループID情報を既存サービスキャリアに割り当てて送信することで、これらの情報は既存サービスキャリアのシステムブロードキャストメッセージチャネルにてセル内にブロードキャストされる。ユーザ端末は、起動後に、既存サービスキャリアにおける同期チャネルをサーチし、前記のMBMS専用キャリアのキャリア情報およびスクランブルコードグループID情報を受信した後に、所定のタイムシーケンスに基づいてバンドリング情報が割り当てられた専用キャリアに同期することにより、MBMSサービスの配置情報をセンスし、ユーザ端末におけるMBMSサービスを受信する。本発明によるユーザ端末は、既存サービスキャリアおよびMBMS専用キャリアを常時センスする必要が無くなり、間欠受信方式でMBMSサービスを監視でき、ユーザ端末の設計を複雑化させず、電力消費量を低減することができる。
【図面の簡単な説明】
【００３８】
【図１】ブロードキャストマルチキャストサービスをサポートするラジオネットワークの構成を示す図である。
【図２】TDDシステムに適用したMBMS専用キャリアフレームの構成を示す図である。
【図３】図２のフレーム構成におけるMBMSサービスタイムスロットの構成を示す図である。
【図４】図２のフレーム構成におけるMBMSショートタイムスロットの構成を示す図である。
【図５】本発明の実施形態におけるMBMS専用キャリアフレームの設定装置の構成を示す図である。
【図６】本発明の実施形態におけるMBMS専用キャリアフレームの設定方法を示すフローチャートである。
【図７】本発明の実施形態におけるバンドリング情報が割り当てられた専用キャリアのMBMS伝送方法を示すフローチャートである。
【図８】本発明の実施形態におけるMBMS伝送方法に対応する、MBMS伝送システムの構成を示す図である。
【図９】本発明による実施形態におけるMBMS伝送方法に対応する、MBMS伝送システムの他の構成を示す図である。
【発明を実施するための形態】
【００３９】
具体的な実施態様
本発明のコア思想は、既存サービスキャリアおよびMBMS専用キャリアを混在する方式を採用し、無線カバーエリア内の端末ユーザにMBMSサービスを提供することである。ここで、MBMS専用キャリアのキャリア情報およびスクランブルコードグループID情報を既存サービスキャリアに割り当てて送信し、MBMS専用キャリアにてMBMSシステム情報および専用キャリアのMBMS制御情報を伝送する。特に、複数のMBMS専用キャリアがある場合、セル内のすべてのMBMS専用キャリアをバンドリングしてMBMSサービスを伝送するようにTDDシステムのMBMS専用キャリアフレームを適切に構成することで、ユーザ端末がMBMS専用キャリアをセンスする際に、専用キャリア間の切り換えを頻繁に行う必要がない。以下、図面を参照して本発明の技術方案を詳細的に説明する。
【００４０】
図２はTDDシステムに適用されたMBMS専用キャリアフレームの構成を示す図である。図２に示すように、MBMSサービスフレームの構成はTDD既存サービスフレームの構成とは若干異なる。もとの従来フレーム構成における、９６チップ下りパイロットタイムスロットDwPTS、９６チップ上りパイロットタイムスロットUpPTSおよび９６チップ上り及び下り間の９６チップのガード期間GPは存在せず、これらはショートタイムスロットとして合併されている。図面の網がけ部分に示すように、このショートタイムスロットの長さは0.275msであり、主に制御情報の伝送に使われる。1.28Mcpsのフレーム構成は８つのタイムスロットを含み、そのうち７つがサービススロットであり、すべてのタイムスロットは下り伝送に用いられ、かつ全方向（omnidirection）に送信される。図３は図２のフレーム構成におけるMBMSサービスタイムスロットの構成を示す図である。図３に示すように、サービスタイムスロットのチャネル推定コードは９６チップであり、その後に７６８チップのデータシンボルが続く。ここで、Tc＝675msであり、チップレートの逆数である。図４は図２のフレーム構成におけるMBMSショートタイムスロットの構成を示す図である。図４に示すように、ショートタイムスロットのチャネル推定コードも９６チップであり、その後に２５６チップのデータシンボルが続く。ここで、Tc＝275msである。
【００４１】
以下、本発明によるMBMSサービスフレームの設定装置および方法について、詳細に記述する。
【００４２】
図５は本発明の実施形態におけるMBMS専用キャリアフレームの設定装置の構成を示す図である。図５に示すように、本発明の実施形態におけるMBMS専用キャリアフレームの設定装置は、バンドリング情報配置ユニット50、バンドリングキャリア情報配置ユニット51およびキャリア送信ユニット52を含む。ここで、バンドリング情報配置ユニット50は、セル内でMBMS専用キャリアを少なくとも１つ選択し、それに対してMBMSシステム情報およびすべてのMBMS専用キャリアのMBMS制御情報を割り当てるものである。バンドリングキャリア情報配置ユニット51は、バンドリング情報配置ユニット50により割り当てがなされた少なくとも１つのMBMS専用キャリアについての周波数情報およびそのスクランブルコードグループID情報を、セル内の既存サービスキャリアに割り当てる。キャリア送信ユニット52は、バンドリング情報配置ユニット50およびバンドリングキャリア情報配置ユニット51によって割り当てられた専用キャリアおよび既存サービスキャリアを送信する。
【００４３】
本発明の実施形態では、セルごとに複数のキャリアが配置されており、つまり１つの既存サービスキャリアと少なくとも１つのMBMS専用キャリアとが配置されており、システムで使えるリソースの状況によって、一般的にセルごとに２〜３の専用キャリアが配置される。バンドリング情報配置ユニット50は、セル内の少なくとも１つのMBMS専用キャリアにバンドリング情報を割り当てる。ここで、本発明の実施形態におけるMBMS専用キャリアにバンドリング情報を割り当てる、つまりMBMSシステム情報およびすべてのMBMS専用キャリアのMBMS制御情報などのバンドリング情報をセル内の１つのMBMS専用キャリアに割り当てる。図２に示すように、本発明では、前記のバンドリング情報がMBMS専用キャリアフレームのショートタイムスロットに割り当てられる。具体的には、ショートタイムスロットは、主にブロードキャスト制御チャネル（BCCH，Broadcast Control Channel）及びMCCHチャネルに用いられる。ショートタイムスロットとしては、拡散率ＳＦが１６である１６個の符号分割チャネルが使われる。ショートタイムスロットにおけるBCCHは、伝送チャネルブロードキャストチャネル（BCH，Broadcast Channel）を介してプライマリ共通制御物理チャネル（PCCPCH，Primary Common Control Physical Channel）にマッピングされる。ここで、PCCPCH物理チャネルは、ショートタイムスロット符号分割チャネルのある固定位置に位置し、例えばＳＦ＝１６の第１のコードチャネルに位置し、その位置が確定されると変更されない。システム内のすべてのPCCPCH物理チャネルは、すべてフレーム内の固定位置に位置し、かつ固定のコーディングおよび変調方式が使われ、前記固定位置、コーディングおよび変調方式の情報がパラメータとして各MBMSモバイル端末に設定されることにより、UEは、このチャネルをデコードすることができる。PCCPCH物理チャネルは、前記１６個のコードチャネルのうち他のコードチャネルに位置してもよく、固定されると、システム内において、すべてのMBMSサービスフレームについてPCCPCHがすべて同じ位置に位置する。ショートタイムスロットにおけるMCCHチャネルは、フォワードアクセスチャネル（FACH，Forward Access Channel）の伝送チャネルを介して、セカンダリ共通制御物理チャネル(SCCPCH，Secondary Common Control Physical Channel)にマッピングされる。
【００４４】
ショートタイムスロットは、また、端末がMBMSを間欠受信（DRX）できるように、MBMS通知指示チャネル（MICH，MBMS notification Indicator Channel）、あるいはMBMSポイントーツーマルチポイントスケジューリングチャネル(MSCH，MBMS point-to-multipoint Scheduling Channel)に用いられる。システム要求に応じて、既存のサービス呼び出しチャネルは、ユーザがMBMSサービスの受信中に専用キャリアにより既存サービスの通知を受けられるように、呼び出し指示チャネル（PICH，Paging Indicator Channel）および呼び出しチャネル（PCH，Paging Channel）を備えてもよい。
【００４５】
前記のPCCPCH及びSCCPCHが、符号分割チャネルのすべてを占有しなければ、ショートタイムスロットの残りチャネルリソースをMTCHチャネルの伝送に使用することもできる。本発明による実施形態には、ショートタイムスロットのPCCPCH物理チャネルは、ビーコンチャネルとしてではなく、主にシステム情報の伝送に用いられる。MBMSサービスフレームのサービスタイムスロットは、MTCHチャネルに用いられ、FACH伝送チャネルを介してSCCH物理チャネルにマッピングされる。すべてのサービスタイムスロットは、MBMSサービスを伝送するのに使用される。
【００４６】
MBMSサービスの伝送前に、一般的にBM-SCからUEにサービス通報が必要となり、従来の３GPP Release6システムにおいては、これらのメッセージは一般的に、パケットデータプロトコルPDPコンテキストにて伝送される。本発明の実施形態のMBMS専用キャリアシステムにおいて、MBMSサービス通報情報あるいは番組ガイド情報などの情報は、ショートタイムスロットに割り当てることができる。ショートタイムスロットの下り特性によっては、これらの情報は、RNCレベルで各SFNセルにブロードキャストされてもよい。前記MBMSサービス通報情報あるいは番組ガイド情報は、MBMSポイントーツーマルチポイントトラフィックチャネルMTCHを介して、セカンダリ共通制御物理チャネルSCCPCHにマッピングされる。
【００４７】
なお、１つのセル内で、前記バンドリング情報は１つのMBMS専用キャリアに割り当てられてもよく、２つ以上のMBMS専用キャリアに割り当てられてもよい。セル内に複数のMBMS専用キャリアがある場合、そのすべてに前記バンドリング情報を割り当ててもよい。
【００４８】
本発明の実施形態におけるMBMS専用キャリアフレーム構成は一例に過ぎないことは当業者に自明である。本発明の実施形態におけるバンドリング情報は、その他の下りタイムスロットに割り当てられてもよい。
【００４９】
MBMS専用キャリアシステムに単一周波数ネットワークSFN技術が採用される場合、MBSFNモードと称す。伝統的なMBSFN技術では、各セルにおいてSFN伝送されるサービスチャネルは、同一の周波数および同一のリソースを占有する。つまり、使われる周波数が同一で、チャネルあるいはタイムスロットが同一であり、スクランブルリソースの割り当ても同一である。本発明の実施形態におけるMBMS専用キャリアシステムにMBSFN技術を採用する場合、サービスチャネルのSFNだけでなく、制御情報のSFNも要求される。つまり、MBMS専用キャリアシステムにおけるいくつのセルにSFN伝送を採用しようとすれば、これらの専用キャリアにおける、MBMSサービスを伝送するためのチャネルは同一のスクランブルコードを採用する必要があり、かつこれらの専用キャリアセルにおけるすべてのショートタイムスロットも同一のスクランブルコードを採用する必要がある。
【００５０】
本発明の実施形態は、UEにおけるこれらのバンドリング情報が割り当てられた専用キャリアの相関情報のセンスを便利にするように、さらに前記のバンドリング情報が割り当てられた専用キャリアの相関情報を既存サービスキャリアに割り当てられる必要がある。本発明の実施形態では、バンドリングキャリア情報配置ユニット51により、既存サービスキャリアを構成する。
【００５１】
既存サービスキャリアネットワークとMBMS専用キャリアネットワークとをサポートするUEは、デュアル受信機をサポートする。本発明の実施形態におけるMBMS専用キャリアには、同期チャネルが存在しておらず、UEは、既存サービスキャリアに同期した上で、MBMS専用キャリアに同期することが可能である。このため、既存サービスキャリアネットワークにおける関連するセルは、そのシステム情報にてそれに関連するMBMS専用キャリアネットワークセルの周波数情報および対応のMBSFNセルパラメータIDをブロードキャストすることが必要となる。MBSFNセルパラメータIDは、MBMS専用キャリアネットワークセルにおいてショートタイムスロットに割り当てられるスクランブルコードグループIDである。UEは、既存サービスキャリアネットに同期した上で、既存サービスキャリアにおける専用キャリアの周波数情報およびMBSFNセルパラメータIDを受信し、該MBMS専用キャリアの信号をサーチしそれに同期する。
【００５２】
MBMS専用キャリアネットワークには、ビーコンチャネルが配置されなくなり、既存キャリアネットワークおよびMBMS専用キャリアネットワークをサポートするUEは、既存キャリアネットワークのセルに在圏する。MBMS専用キャリアネットにおけるセルは、セルの在圏、選択または再選択の対象とならない。UEのMBMS専用キャリアに対するすべての操作はアイドルモードで行われ、ネットワークとの無線リソースコントロール（RRC，Radio Resource Control）による接続がないとみなせる。
【００５３】
本発明の実施形態における、MBMS専用キャリアネットワークセルは、その他のMBMS専用キャリアにて伝送されるMBMSサービスおよび対応するラジオベアラ（RB）配置情報を伝送可能であり、UEは、キャリア切り換えせずに１つの専用キャリアをセンスするだけで、その他の専用キャリアにて伝送されるサービスの状況を知ることができる。UEは、当該MBMS専用キャリアにおける制御シグナリングを読み出すことにより、その他のMBMS専用キャリア上のサービス伝送状況およびその関連するRBの配置を得ることができ、相関するサービスについて、その他の専用キャリア上のサービスチャネルに直接に切り替えて受信できる。したがって、先にその他のキャリア上のMCCH制御チャネルに切り替えて相関するサービスのRB配置を読み取った上で、サービスを受信する必要が無くなる。これにより、UEにおける切り替え時間を節約することができる。
【００５４】
セル内の複数のMBMS専用キャリアにバンドリング情報が割り当てられた場合、UEは、１つのこのようなMBMS専用キャリアを選択してセンスしてもよい。
【００５５】
以下、本発明の実施例におけるMBMSデータサービスの伝送をさらによく理解するために、MBMSに関するチャネルおよびそれら間のマッピング関係を簡単に紹介する。
【００５６】
MBMSは、主に、MICH、MCCH、MTCHおよびMSCHに関し、そのうちMICHは呼び出しチャネルPICHと同様の物理チャネルであり、MCCH、MTCH、及びMSCHは、３つの論理チャネルである。
【００５７】
MCCHは、無線リソースコントロール（RRC）接続モードあるいはアイドルモードでは、ネットワークとユーザ端末UEとの間でポイントーツーマルチポイント（P-T-M）制御プレーン情報を下り伝送するのに用いられる。通常、MCCHは、セカンダリ共通制御物理チャネルSCCPCHの１つの特定のフォワードアクセスチャネル（FACH，Forward Access Channel）にマッピングされ、ブロードキャストチャネルBCCHに標示される。
【００５８】
MTCHは、RRC接続あるいはアイドルモードでは、ネットと複数のユーザ端末UEの間でユーザプレーンのポイントーツーマルチポイントMBMSサービス情報を下り伝送するのに用いられる。MTCHは、常にSCCPCHの特定のFACHにマッピングされて、MCCHに標示される。
【００５９】
本発明の実施形態のMBMS専用キャリアネットワークセルにおけるシステム情報の伝送は、主に、マスタ情報ブロック（Master Information Block）、SIB3、SIB5およびSIB11により行われる。マスタ情報ブロックに含まれる情報は、3GPP Release6におけるマスタ情報ブロック（プロトコルTS25.331における関連記述を参照）と同じである。伝統的なSIB3にて伝送されるパラメータが主にセルの選択および再選択に使われるが、MBMS専用キャリアネットワークセルは、これらの過程に関係しないため、多くのパラメータは伝送しなくてもよい。本発明の実施形態においては、SIB3は、主にセルID、セルアクセス制限パラメータおよびMBSFN only指示を伝送する。SIB3の具体的な内容は表１に示される。
【表１】
0005452471.tif 000002
表１
MBMS専用キャリアネットワークセルにおいて、SIB5は、ショートタイムスロットのSCCPCHの構成、周波数帯域指示およびTDD MBSFN情報の伝送に用いられる。SIB5の具体的なIEは、TS25.331の関連する記述を参照されたい。PCCPCHの構成情報は、SIB5で伝送されなくてもよい。く、これは、PCCPCHは、主にダイバーシティ情報およびセルコードグループ情報を指示するのに用いられるが、MBMS専用キャリアネットセルでは、TSTD及びSCTDダイバーシティが採用されず、そのセルコードグループ情報がそれに関連する既存キャリアにて伝送されるからである。SIB5の具体的な内容は表２に示される。
【表２】
0005452471.tif 000003
表２
TDD MBSFN informationの主なパラメータ情報は表３に示される。
【表３】
0005452471.tif 000004
表３
表におけるイタリック文字部分は本発明の実施形態に対して新たに修正された内容を表す。
【００６０】
MBMS専用キャリアネットワークセルにおいて、SIB11は、ショートタイムスロットの測定制御情報および隣接セルのMBSFN周波数リスト（frequency list）を伝送するのに用いられる。SIB11の情報フォーマットは表４に示される。
【表４】
0005452471.tif 000005
表４
ここで、表４におけるMBSFN frequency listに主に含まれるパラメータは表５に示される。
【表５】
0005452471.tif 000006
表５
表におけるイタリック文字部分は本発明の実施形態に対して新たに修正された内容を表す。
【００６１】
本発明の実施形態において、マスタ情報ブロック及びSIB5に含まれるシステム情報は、伝送されなければならない内容であるが、SIB3およびSIB11は、異なるサービスのニーズによって選択的に伝送されてもよい。
【００６２】
MCCHで伝送されるMBMS制御シグナリングには、MBMS変更サービス情報（MBMS MODIFIED SERVICES INFORMATION）、MBMS未変更サービス情報（MBMS UNMODIFIED SERVICES INFORMATION）、MBMS通用情報（MBMS GERNERAL INFORMATION）、MBMS公共ポイントーツーマルチポイントラジオベアラ情報（MBMS COMMON P-T-M RB INFORMATION）、MBMSカレントセルポイントーツーマルチポイントラジオベアラ情報（MBMS CURRENT CELL P-T-M RB INFORMATION）、MBMS隣接セルポイントーツーマルチポイントラジオベアラ情報（MBMS NEIGHBOURING CELL P-T-M RB INFORMATIONMBM）があり、以下に前記の各MBMS制御シグナリングを簡単に紹介する。
【００６３】
MBMS MODIFIED SERVICES INFORMATIONは、主にMBMSサービスの変更を指示するのに用いられ、またDRX及び通知にも用いることができる。本発明の実施形態のMBMS専用キャリアシステムにおいて伝送される該メッセージの内容は、3GPP Release6における相応のメッセージの内容よりも簡易であり、その主な原因は、専用キャリアセルに選定キャリアに対するサポートが含まれていないことである。本発明の実施形態で提供されるMBMS専用キャリアシステムは、特定の技術によってキャリアの関連性をサポートするようにする。なお、MBMS専用キャリアシステムにおいて、専用キャリアのすべては下り伝送に用いられ、UEの上りフィードバックは要求されないので、関連するセルの伝送は不要である。しかしながら、特定の伝送中に、該MBMS制御シグナリングは、現在のセルのサービス変更状況だけでなく、隣接周波数をもつMBMS専用キャリアセルのサービス活動状況をも含む必要がある。システムがキャリアの関連付けを行う際に、すべての関連するMBMS専用キャリアセルの周波数を番号付けする必要がある。このため、具体的なサービス変更状況を指示するのに、SIB11にて伝送される周波数情報リスト（frequency information list）を指した、隣接セルの周波数（frequency neighbour）メッセージを伝送することも求められる。具体的な情報フォーマットは表６に示される。
【表６】
0005452471.tif 000007
表６
表におけるイタリック文字部分は本発明の実施例に対して新たな調整の内容を表す。
【００６４】
MBMS UNMODIFIED SERVICES INFORMATIONは、変更されないMBMSサービスを指示するのに主に用いられる。本発明の実施形態において、MBMS専用キャリアシステムで伝送されるこのメッセージの内容は、3GPP Release6における相応するメッセージの内容よりも簡易であり、その主な原因は専用キャリアセルに選定キャリアに対するサポートが含まれていないことである。本発明の実施形態で提供されるMBMS専用キャリアシステムは、特定の技術によってキャリアの関連性をサポートする。なお、MBMS専用キャリアシステムにおいて、専用キャリアのすべては下り伝送に用いられ、UEの上りフィードバックは要求されないので、関連する相関セルの伝送は不要である。しかしながら、特定の伝送中に、該MBMS制御シグナリングは、現在のセルにおける変更されないMBMSサービスだけでなく、隣接周波数のMBMS専用キャリアセルにおける変更されないサービスをも含むべきである。具体的な情報フォーマットは表７に示される。
【表７】
0005452471.tif 000008
表７
表におけるイタリック文字部分は本発明の実施形態に対して新たに修正された内容を表す。
【００６５】
MBMS GENERAL INFORMATIONは、MBMS専用キャリアセルにおけるジェネラルの構成を表示するのに主に用いられる。その内容は、3GPP Release6に定義されたものと類似するが、キャリア通知指示が追加されている。あるキャリアに対応するMBSFN services notifiedが真（TRUE）であるときに、このキャリア上のサービス通知が現在のセル内で伝送される。具体的な情報フォーマットは表８に示される。
【表８】
0005452471.tif 000009
表８
表におけるイタリック文字部分は本発明の実施形態に対して新たに修正された内容を表す。
【００６６】
MBMS COMMON P-T-M RB INFORMATIONは、3GPP Release6に定義されたフォーマットと同じであり、具体的には3GPPのプロトコルTS25.331の関連記述を参照されたい。
【００６７】
MBMS CURRENT CELL  P-T-M RB INFORMATIONは、MBSFNの場合の現在の専用キャリアセルについて構成されたRB、関連する論理チャネルMTCH、MSCH、伝送チャネルおよび物理チャネルSCCPCHを表示するのに用いられる。具体的な情報フォーマットは表９に示される。
【表９】
0005452471.tif 000010
表９
表におけるイタリック文字部分は本発明の実施形態に対して新たに修正された内容を表す。
【００６８】
MBMS NEIGHBOURING CELL P-T-M RB INFORMATIONは、関連する隣接周波数のMBMS専用キャリアセルのサービス活動および配置状況を表示するのに用いられる。3GPP Release6と比べ、このメッセージの用途は変わっている。3GPP Release6においては、このメッセージは、UEの物理レイヤでの合成処理を便利にさせるように、隣接セルにおけるRBの配置を伝送するのに用いられるが、本発明の実施形態においては、UEは物理レイヤでの合成処理が不要である。このメッセージの内容は、3GPP Release6におけるMBMS NEIGHBOURING CELL P-T-M RB INFORMATIONの内容と実質的に同じであるが、RB情報に対する周波数表示（frequency neighbour）が追加されている。該frequency neighbourは、SIB11にて伝送されるfrequency information listに向けられている。UEが現キャリアで他の専用キャリアの構成情報を得られるように、MBMS NEIGHBOURING CELL P-T-M RB INFORMATIONは、他のMBMS専用キャリアの現サービスの構成情報を表示する。他のキャリアのサービスを受信したい場合、ユーザ端末は、該専用キャリアと同期すれば、対応するMBMSサービスを受信できる。具体的な情報フォーマットは表１０に示される。
【表１０】
0005452471.tif 000011
0005452471.tif 000012
0005452471.tif 000013
0005452471.tif 000014
表１０
図６は本発明の実施形態におけるMBMS専用キャリアフレームの設定方法を示すフローチャートである。図６に示すように、本発明の実施形態のMBMS専用キャリアフレームの設定方法は、下記のステップを含む。
【００６９】
ステップ601：セル内において少なくとも１つのMBMS専用キャリアを選択し、それに対してMBMSシステム情報およびすべてのMBMS専用キャリアのMBMS制御情報を割り当てる。
【００７０】
セルごとに複数のキャリア、即ち１つの既存サービスキャリアおよび少なくとも１つのMBMS専用キャリアを割り当て、システムにおいて使用可能なリソースの状況によって、全体的にMBMS伝送の広帯域を保証するようにセルごとに２乃至３つの専用キャリアを割り当てる。１つのマルチキャリアによりカバーされたセル内において、少なくとも１つのMBMS専用キャリアを選択して、MBMSシステム情報およびすべてのMBMS専用キャリアのMBMS制御情報などのバンドリング情報を割り当てる。前記のバンドリング情報は、１つのMBMS専用キャリアに割り当ててもよいし、２つ以上のMBMS専用キャリアに割り当ててもよい。現セルに複数のMBMS専用キャリアが存在する場合、前記のバンドリング情報をすべてのMBMS専用キャリアに割り当ててもよい。前記のバンドリング情報は、MBMS専用キャリアフレームのショートタイムスロットに割り当てられる。本発明の実施形態におけるMBMS専用キャリアフレーム構成は、一例に過ぎないことは当業者に自明である。本発明の実施形態におけるバンドリング情報は、その他の下りタイムスロットに割り当てられてもよい。バンドリング情報の詳細な構成方式は、既述の、MBMS専用キャリアフレームの構成に関する記述を参照することとし、ここでは記述を省略する。
【００７１】
ステップ602：バンドリング情報が割り当てられた少なくとも１つのMBMS専用キャリアについての周波数情報およびそのスクランブルコードグループID情報をセル内の既存サービスキャリアに割り当てる。ステップ601で専用キャリアにバンドリング情報を割り当てた後に、バンドリング情報の割り当てられた専用キャリア情報がユーザ端末に少なくとも１つ送信される。具体的な構成方式は、既述の、MBMS専用キャリアフレームの構成に関する記述を参照することとし、ここでは記述を省略する。本発明の実施形態においては、既存サービスキャリアが、バンドリング情報の割り当てられた専用キャリアの情報の伝送に用いられる。
【００７２】
図７は本発明の実施形態における、バンドリング情報の割り当てられた専用キャリアに基づいてMBMSを伝送する方法を示すフローチャートである。図７に示すように、本発明の実施形態のMBMS伝送方法は、下記を含む。
【００７３】
ステップ701：セルにおいて少なくとも１つのMBMS専用キャリアを選択して、それに対してMBMSシステム情報およびすべてのMBMS専用キャリアのMBMS制御情報の割り当てを行う。具体的な構成方法は、既述の、MBMS専用キャリアフレームの構成に関する記述を参照することとし、ここでは記述を省略する。
【００７４】
ステップ702：バンドリング情報が割り当てられた少なくとも１つのMBMS専用キャリアについての周波数情報およびそのスクランブルコードグループID情報をセル内の既存サービスキャリアに割り当てる。具体的な構成方法は、既述の、MBMS専用キャリアフレームの構成に関する記述を参照することとし、ここでは記述を省略する。
【００７５】
ステップ703：セルは、既存キャリアおよび専用キャリアを送信する。
【００７６】
ステップ704：ユーザ端末は、既存サービスに同期して、MBMSシステム情報および制御情報が割り当てられたMBMS専用キャリアの周波数情報およびそのスクランブルコードグループID情報を取得し、MBMS専用キャリアの周波数情報およびそのスクランブルコードグループID情報に基づいて、１つの専用キャリアに同期し、センスしたMBMSシステム情報およびすべてのMBMS専用キャリアのMBMS制御情報に基づいて、MBMSサービスの構成情報を取得し、専用キャリアのMBMSデータを受信する。前記の構成情報には、タイムスロット情報、チャネル情報および変調方式などが含まれている。
【００７７】
既存サービスおよびMBMSのデュアル受信機をサポートするUEは、MBMS専用キャリアシステムに同期する前に、まずMBMS専用キャリアシステムと関連する既存キャリアに同期して、既存キャリアで表示されたMBMS専用キャリアシステムのMBSFNセルパラメータIDを利用して、MBMS専用キャリアシステムに迅速に同期する。本発明の実施形態においては、バンドリング情報の割り当てられたMBMS専用キャリアが複数存在する場合に、１つだけを任意に選択してセンスしてもよい。
【００７８】
MBMS専用キャリアシステムに同期した後に、UEは、まずPCCPCH物理チャネルをデコードして、BCCHの内容を読み出し、SIB3におけるMBSFN only表示を利用して該キャリアがMBMS専用キャリアシステムであるか否かをチェックする。そして、UEは、SIB5の帯域表示、およびMCCHに対応するSCCPCH物理チャネルを利用してどのようにMCCHチャネルをセンスするかを決定する。
【００７９】
UEは、MCCHのサービス表示を受信することにより、現セルにおいて選択可能なサービスを知る。また、隣接のMBMS専用キャリアセルのサービス活動状況も知ることができる。UEは、MBMS GENERAL INFORMATION上のMBSFN services notifiedに基づいて、該セルが隣接MBMS専用キャリアセルのサービス活動状況を通知する能力を持つかを決定できる。
【００８０】
UEは、興味のあるサービスがなければ、DRXモードを採用してMCCHをセンスする。UEは、興味のあるサービスが現セルにあれば、直接にMBMS CURRENT CELL P-T-M RB INFORMATIONの当該サービスについてのRB配置およびチャネルパラメータに基づいて、関連するサービスを受信する。サービスを受信した後に、UEは、MBMSサービスの活動状況を了知するように、DRXモードを選択して適切なMCCHをセンスしてもよい。
【００８１】
UEは、興味のあるサービスが隣接MBMS専用キャリアセルに存在すれば、直接にMBMS NEIGHBOURING CELL P-T-M RB INFORMATIONMBMSの内容における該サービスについてのRB配置およびチャネルパラメータに基づいて、関連するサービスをセンスする。サービスをセンスした後に、UEは、MBMSサービスの活動状況を了知するように、DRXモードを選択して適切なMCCHをセンスしてもよい。どのMCCHをセンスするかは、UEのMBMSサービスに対する設定に依存し、どのMBMSサービスがMBMS専用キャリアセルで通知されるかは多くはUEによる。
【００８２】
本発明の実施形態において、ユーザ端末は、キャリアセンスするのに、間欠受信DRX方式を採用する。専用キャリア上のMBMS伝送状況を知るために、ユーザ端末は、周期的に、バンドリングの割り当てられたベアラキャリアにおけるMCCHの制御シグナリングをセンスする。ユーザ端末は、変更周期（Modification period）ごとに、キャリア上のMCCHで伝送されるMBMS MODIFIED SERVICES INFORMATIONをセンスすることにより、Modification periodに続く時間にMCCHを継続して読み取る必要があるか否かを決定する。DRXモードには、３GPP Release６における類似するメカニズムを採用することができる。
【００８３】
図８は本発明の実施形態におけるMBMS伝送方法に対応するMBMS伝送システムの構成を示す図である。図８に示すように、本発明の実施形態のマルチメディアブロードキャストサービス伝送システムは、コアネットワークCN74と、既存サービス用のNode B71と、MBMS用のNode B72と、既存サービスNode BおよびMBMS Node Bを制御する無線ネットワークコントローラRNC73と、ユーザ端末UE70とを含む。RNC73は、Iuインタフェースを介してCN74に接続され、既存サービスNode B71及びMBMS Node B72は、Iubインタフェースを介してRNC73に接続され、UE70は、Uuインタフェースを介して既存サービスNode B71及びMBMS ode B72にそれぞれ接続される。
【００８４】
図９は本発明の実施形態におけるMBMS伝送方法に対応するMBMS伝送システムの他の構成を示す図である。図９に示すように、本発明の実施形態のマルチメディアブロードキャストサービス伝送システムは、コアネットワークCN74と、既存サービス用のNode B71と、MBMS用のNode B72と、ユーザ端末UE70とを含む。図８に示される構成と比べ、図９に示される構成では、RNCが含まれない。第３世代ネットワークの持続的な発展、変化に伴って、Node Bの機能がますます強化され、RNCの機能がNode Bに移行される。図９に示す構成は、本発明の実施形態のMBMSサービスネットワークの実現に有利である。
【００８５】
上記は、本発明の好ましい実施形態に過ぎず、本発明の保護範囲を何ら限定する意図はない。
【図１】
0005452471.tif 000015
【図２】
0005452471.tif 000016
【図３】
0005452471.tif 000017
【図４】
0005452471.tif 000018
【図５】
0005452471.tif 000019
【図６】
0005452471.tif 000020
【図７】
0005452471.tif 000021
【図８】
0005452471.tif 000022
【図９】
0005452471.tif 000023